(57)【要約】【課題】幼児による誤操作を防止することが可能なウォーターサーバーを提供する。【解決手段】筐体２の天板９に設けられ、交換式の原水容器２０が載置される容器ホルダ３と、筐体２の内部に収容された冷水タンク４と、原水容器２０内の飲料水を冷水タンク４内に導入する原水導入管５と、冷水タンク４内の飲料水を注出する冷水注出管７と、冷水注出管７を開閉する冷水注出弁７ｂと、冷水注出弁７ｂを開閉するコック２６と、筐体２がその内部に設けられ、前方に開口する注出室１４と、注出室１４の開口を開閉する上扉１６とを有する。注出室１４の内部にコック２６が配置されており、上扉１６が注出室１４の開口を閉塞する状態で、筐体２の上部に設けられ、筐体２に係合、または係合を解除する上ロック機構１８を有する。【選択図】図１
2019214387.tif 000002
【特許請求の範囲】
【請求項１】
上下方向に延びる筒部（８）と、その筒部（８）の上部を塞ぐ天板（９）とを有する筐体（２）と、前記天板（２）に設けられ、交換式の原水容器（２０）が載置される容器ホルダ（３）と、前記筐体（２）の内部に収容された冷水タンク（４）と、前記原水容器（２０）内の飲料水の自重により前記原水容器（２０）から前記冷水タンク（４）内に飲料水を導入する原水導入管（５）と、前記冷水タンク（４）内の飲料水を冷却する冷却装置（６）と、前記冷水タンク（４）内の飲料水を注出する冷水注出管（７）と、前記冷水注出管（７）を開閉する冷水注出弁（７ｂ）と、前記冷水注出弁（７ｂ）を開閉する冷水注出操作部（２６）と、を有するウォーターサーバーにおいて、
前記筐体（２）がその内部に設けられ、前方に開口する注出室（１４）と、前記注出室（１４）の開口を開閉する上扉（１６）とを有し、前記注出室（１４）の内部に前記冷水注出操作部（２６）が配置されており、
前記上扉（１６）が、前記注出室（１４）の開口を閉塞する状態で、前記筐体（２）に対して係合、または係合を解除する上ロック機構（１８）を有することを特徴とするウォーターサーバー。
【請求項２】
前記上ロック機構（１８）が、前記上扉（１６）の上部に固定されるロックケース（３１）と、前記ロックケース（３１）内を前記筐体（２）に対して係合するロック位置と、前記筐体（２）に対して係合が解除されるアンロック位置との間で移動するロック部材（３２）と、前記ロック部材（３２）に取り付けられ、前記ロック部材（３２）の移動を操作するレバー（３３）とを有することを特徴とする請求項１に記載されたウォーターサーバー。
【請求項３】
前記上扉（１６）の上部に、前記レバー（３３）が前記ロック部材（３２）の移動方向に沿って案内されるガイド孔部（３６）を有し、前記ガイド孔部（３６）は、前記レバー（３３）が嵌り、前記ロック部材（３２）を前記アンロック位置に保持するストッパ凹部（３６ａ）を有することを特徴とする請求項２に記載されたウォーターサーバー。
【請求項４】
前記ロックケース（３１）が前記ロック部材（３２）を前記ロック位置へ向かって付勢する弾性部材を有することを特徴とする請求項２または３に記載されたウォーターサーバー。
【請求項５】
前記筐体（２）が、その内部の前記注出室（１４）の下方に位置し、前方に開口する収容部（１５）と、前記収容部（１５）の開口を開閉する下扉（１７）とを有し、前記下扉（１７）が、前記収容部（１５）の開口を閉塞する状態で、前記筐体（２）に対して係合、または係合を解除する下ロック機構（１９）を有し、
前記上扉（１６）が前記注出室（１４）の開口を閉塞し、かつ前記下扉（１７）が前記収容部（１５）の開口を閉塞する状態で、前記下ロック機構（１９）が、前記下扉（１７）に対して、前記上扉（１６）により覆われる位置にあることを特徴とする請求項１乃至４のいずれかに記載されたウォーターサーバー。
【発明の詳細な説明】
【技術分野】
【０００１】
この発明は、幼児による誤操作を防止することを可能とするウォーターサーバーに関する。
【背景技術】
【０００２】
従来、主にオフィスや病院などでウォーターサーバーが利用されており、近年、水の安全や健康への関心の高まりから、一般家庭にもウォーターサーバーが普及しつつある。
【０００３】
ウォーターサーバーは、通常、筐体と、その筐体の内部に収容された冷水タンクおよび温水タンクと、冷水タンク内の飲料水を冷却する冷却装置と、温水タンク内の飲料水を加熱する加熱装置と、筐体の前面側に配置された冷水蛇口および温水蛇口と、冷水タンクと冷水蛇口の間を連通する冷水注出路と、温水タンクと温水蛇口の間を連通する温水注出路とを有する（特許文献１参照）。
【０００４】
このウォーターサーバーでは、飲料水をいつでも利用することができるように、冷水蛇口および温水蛇口が筐体の前面側に露出して配置されている。このため、大人の冷水蛇口または温水蛇口の操作を、幼児が見て真似をして不用意に操作して、温水でやけどしたり、飲料水で床面を濡らしたりするおそれがあった。
【先行技術文献】
【特許文献】
【０００５】
【特許文献１】特開２０１４−１６６８６２号公報
【発明の概要】
【発明が解決しようとする課題】
【０００６】
この発明が解決しようとする課題は、幼児による誤操作を防止することが可能なウォーターサーバーを提供することである。
【課題を解決するための手段】
【０００７】
上記の課題を解決するために、この発明は、
上下方向に延びる筒部と、その筒部の上部を塞ぐ天板とを有する筐体と、前記天板に設けられ、交換式の原水容器が載置される容器ホルダと、前記筐体の内部に収容された冷水タンクと、前記原水容器内の飲料水の自重により前記原水容器から前記冷水タンク内に飲料水を導入する原水導入管と、前記冷水タンク内の飲料水を冷却する冷却装置と、前記冷水タンク内の飲料水を注出する冷水注出管と、前記冷水注出管を開閉する冷水注出弁と、前記冷水注出弁を開閉する冷水注出操作部と、を有するウォーターサーバーにおいて、
前記筐体がその内部に設けられ、前方に開口する注出室と、前記注出室の開口を開閉する上扉とを有し、前記注出室の内部に前記冷水注出操作部が配置されており、
前記上扉が、前記注出室の開口を閉塞する状態で、前記筐体に対して係合、または係合を解除する上ロック機構を有する構成を採用することができる。
【０００８】
この構成では、上ロック機構により、上扉を筐体に対して注出室の開口を閉鎖する状態に係合して、その閉鎖状態を保持することができる。このとき、幼児が注出室の内部に配置されている冷水注出操作部を操作することができない。
【０００９】
前記上ロック機構が、前記上扉の上部に固定されるロックケースと、前記ロックケース内を前記筐体に対して係合するロック位置と、前記筐体に対して係合が解除されるアンロック位置との間で移動するロック部材と、前記ロック部材に取り付けられ、前記ロック部材の移動を操作するレバーとを有する構成を採用することができる。
【００１０】
この構成においては、上扉を注出室の開口を閉塞する状態で、レバーを操作して、ロック部材をロックケース内のロック位置に移動させることで、注出室の開口を閉塞する状態で保持することができる。
【００１１】
前記上扉の上部に、前記レバーが前記ロック部材の移動方向に沿って案内されるガイド孔部を有し、前記ガイド孔部は、前記レバーが嵌り、前記ロック部材を前記アンロック位置に保持するストッパ凹部を有する構成を採用することができる。
【００１２】
この構成によると、上扉を注出室の開口を閉塞する状態に保持する必要がない場合、レバーをガイド孔部のストッパ凹部に位置させることで、ロック部材をアンロック位置に保持することができる。
【００１３】
前記ロックケースが前記ロック部材を前記ロック位置へ向かって付勢する弾性部材を有する構成を採用すると、弾性部材によりロック部材をロック位置に保持することができる。
【００１４】
前記筐体が、その内部の前記注出室の下方に位置し、前方に開口する収容部と、前記収容部の開口を開閉する下扉とを有し、前記下扉が、前記収容部の開口を閉塞する状態で、前記筐体に対して係合、または係合を解除する下ロック機構を有し、
前記上扉が前記注出室の開口を閉塞し、かつ前記下扉が前記収容部の開口を閉塞する状態で、前記下ロック機構が、前記下扉に対して、前記上扉により覆われる位置にある構成を採用することができる。
【００１５】
この構成では、筐体に対して上扉を開かなければ、下ロック機構を操作し、下扉を開くことができない。
【発明の効果】
【００１６】
この発明は、冷水注出操作部が内部に配置される注出室の開口を開閉する上扉を有し、その上扉を上ロック機構により、前記注出室の開口を閉塞する状態で保持するようにしたので、幼児が冷水注出操作部を操作することができず、幼児による誤操作を防止することができる。
【図面の簡単な説明】
【００１７】
【図１】この発明に係る実施形態のウォーターサーバーを示す縦断面図
【図２】同上のウォーターサーバーの上扉および下扉の開状態を斜視図
【図３】同上の上扉の開閉状態を示す一部切り欠き平面図
【図４】同上の上ロック機構を示す斜視図
【図５】同上の上ロック機構を示す分解斜視図
【図６】同上の上ロック機構を示す平面図
【図７】（ａ）同上の上ロック機構のロック位置を示す横断面図、（ｂ）同上の上ロック機構のアンロック位置を示す横断面図、（ｃ）同上の上ロック機構のアンロック位置を保持している状態を示す横断面図
【図８】同上の下ロック機構を示す分解斜視図
【図９】（ａ）同上の下扉の下ロック機構の係合状態を示す拡大縦断面、（ｂ）同上の下扉の下ロック機構の係合解除状態を示す拡大縦断面
【図１０】同上の上扉と下ロック機構との位置関係を示す平面図
【発明を実施するための形態】
【００１８】
以下、この発明に係る実施形態のウォーターサーバー１を図面に基づいて説明する。このウォーターサーバー１は、図１、２に示すように、水平な床面に載置された筐体２と、筐体２の上部に設けられ、交換式の原水容器２０が載置される容器ホルダ３と、筐体２の内部に収容された冷水タンク４と、原水容器２０内の飲料水の自重により原水容器２０から冷水タンク４内に飲料水を導入する原水導入管５とを有する。
【００１９】
また、ウォーターサーバー１は、冷水タンク４内の飲料水を冷却する冷却装置６と、冷水タンク４内の飲料水を筐体２の外部に注出する冷水注出管７と、冷水注出管７を開閉する冷水注出弁７ｂと、冷水注出弁７ｂを開閉する冷水注出操作部としてのコック２６とを有するものである。
【００２０】
筐体２は、上下方向に延びる筒部８と、筒部の上端を塞ぐように設けられた天板９と、筒部８の下端を塞ぐように設けられた底板１０とを有する。筒部８は、左右一対の側面板１１と、側面板１１の上側前縁同士を連結する前面板１２と、側面板１１の後縁同士を連結する後面板１３とで構成されている。
【００２１】
筐体２は、前面板１２に開口し、後方に向かって凹んで形成される注出室１４と、注出室１４の下方に設けられ、前方に開口する収容部１５とを有する。注出室１４は、その内部に突き出す状態に冷水注出管７のコック２６が取り付けられている。
【００２２】
収容部１５は、筐体２の内部に設けられ、その前方の開口の上部がマスク板部１５ａで閉塞され、マスク板部１５ａの下縁部から後方に延びる仕切板部１５ｂにより、上方が閉塞されている。
【００２３】
筐体２は、前面板１２の左右方向の一端側（図２中での左端側）に、注出室１４の開口を閉塞する上扉１６と、左右方向の一方側（図２中での左側）の側面板１１に、収容部１５の開口を閉塞する下扉１７とを有する。
【００２４】
マスク板部１５ａは、図２に示すように、前面板１２よりも後側の位置（後位）にあり、下扉１７が上扉１６よりも厚く形成されている。上扉１６が注出室１４の開口を閉塞し、かつ下扉１７が収容部１５の開口を閉塞する状態では、上扉１６および下扉１７の前面の位置が前後方向に合致するようになっている（図９参照）。
【００２５】
上扉１６は、前面板１２の左側の前縁部にヒンジ部１６ａを介して開閉可能に取り付けられる。上扉１６の上部の左右方向他端側（図２中での右端側）に上ロック機構１８が設けられ、上ロック機構１８により上扉１６が筐体２に対して、注出室１４の開口を閉塞する状態で係合または係合解除するものである。
【００２６】
上ロック機構１８は、図３に示すように、上扉１６の上端部の左右方向他方側に取り付けられている。上ロック機構１８は、上扉１６の上部に固定されるロックケース３１と、ロックケース３１内を上扉１６の幅方向（左右方向）に沿って移動するロック部材３２と、ロック部材３２の移動を操作するレバー３３と、ロック部材３２を幅方向一方へ付勢する弾性部材となるコイルばね３４とを有する。
【００２７】
ロックケース３１は、上扉１６の幅方向に延びるベース板部３１ａと、ベース板部３１ａ上に設けられ、上扉１６の幅方向一端部に位置する第一規制枠部３１ｂ、および上扉１６の幅方向他端部に位置する第二規制枠部３１ｃとを有している。
【００２８】
また、ロックケース３１は、ベース板部３１ａ上に設けられ、上扉１６の厚み方向一端部から立ち上がるガイド板部３１ｄを有する。第一規制枠部３１ｂと第二規制枠部３１ｃとは、それぞれの上扉１６の幅方向の内面が平行に対向している。
【００２９】
第一規制枠部３１ｂ、第二規制枠部３１ｃおよびガイド板部３１ｄは、ベース板部３１ａに一体に形成され、同一の高さを有している。ベース板部３１ａは、上扉１６の厚み方向他端部に上向きの支持片部３１ｅを有する。
【００３０】
図５に示すように、ロック部材３２は、ベース板部３１ａ上に配置され、上扉１６の幅方向に延びる長方体形状をなしている。ロック部材３２は、ガイド板部３１ｄと支持片部３１ｅとで挟まれる状態で、第一規制枠部３１ｂと第二規制枠部３１ｃとの間を、上扉１６の幅方向に移動可能となっている。
【００３１】
ロック部材３２は、上扉１６の厚み方向他方側の表面から突出するフック部３２ａと、ガイド板部３１ｄとの対向面から上扉１６の厚み方向他方へ凹む切り欠き部３２ｂとを有する。フック部３２ａは、ガイド板部３１ｄよりも上扉１６の厚み方向他方へ突出している。
【００３２】
フック部３２ａは、先端部分が上扉１６の幅方向一方に向かって突き出している。切り欠き部３２ｂは、ロック部材３２の上面および上扉１６の厚み方向一方側の表面が開口しており、レバー３３の軸部３３ａが上扉１６の厚み方向にスライド可能に移動するようになっている。切り欠き部３２ｂは、下部が上部よりも上扉１６の幅方向の開口幅が大きく形成されている。
【００３３】
レバー３３は、ロック部材３２の切り欠き部３２ｂ内に嵌め合される軸部３３ａと、軸部３３ａの上端部に固定される頭部３３ｂとを有する。軸部３３ａは、円柱状をなし、下端部に切り欠き部３２ｂの下部に嵌る大径部を有している。頭部３３ｂは、軸部３３ａに固定される状態で、ロック部材３２の上面から突出している。このレバー３３は、頭部３３ｂをつまんで、ロック部材３２に対して切り欠き部３２ｂ内を上扉１６の厚み方向にスライド可能に移動するようになっている。
【００３４】
ばね部材であるコイルばね３４は、第二規制枠部３１ｃと、ロック部材３２との間に長さ方向に圧縮されている状態で保持されている。コイルばね３４により、ロック部材３２は、第一規制枠部３１ｂへ向かって付勢されている。
【００３５】
図７（ａ）に示すように、この上ロック機構１８は、ロック部材３２のフック部３２ａが、上扉１６に形成される貫通孔部３５を通して、筐体２へ向かって突出している。また、上ロック機構１８は、レバー３３の頭部３３ｂが、上扉１６の上部に形成されるガイド孔部３６を通して、上方へ突出している。
【００３６】
上扉１６の貫通孔部３５は、上扉１６の幅方向に沿って延びる状態に形成されている。前面板１２は、注出室１４の開口を閉塞する状態での上扉１６の貫通孔部３５と対向する位置に受容凹部３７を有する。受容凹部３７は、後方へ凹んで形成され、上扉１６の貫通孔部３５と同じ形状に開口している。受容凹部３７の内部にロック部材３２のフック部３２ａが収容される。
【００３７】
上扉１６のガイド孔部３６は、上扉１６の幅方向に沿って延びる状態に形成されている。ガイド孔部３６の上扉１６の幅方向他端縁には、上扉１６の厚み方向他方へ向かって凹むストッパ凹部３６ａが形成されている（図１０参照）。
【００３８】
図７（ａ）に示すように、上扉１６が注出室１４の開口を閉塞する状態において、ロック部材３２がロックケース３１内の第一規制枠部３１ｂ側の位置（ロック位置）にあるとき、フック部３２ａが受容凹部３７の開口部の左右方向一端縁と係合するようになっている。
【００３９】
一方、図７（ｂ）に示すように、レバー３３の操作によって、上扉１６が注出室１４の開口を閉塞する状態において、ロック部材３２がロックケース３１内の第二規制枠部３１ｃ側の位置（アンロック位置）にあるとき、フック部３２ａは受容凹部３７の開口部の左右方向一端縁との係合が解除するようになっている。
【００４０】
このロック部材３２は、ロックケース３１内の前記ロック位置と前記アンロック位置との間で移動し、フック部３２ａによって、上扉１６が筐体２に対して係合または係合を解除する状態となる。
【００４１】
また、図７（ｃ）に示すように、ロック部材３２がロックケース３１内の前記アンロック位置にあるとき、レバー３３をガイド孔部３６のストッパ凹部３６ａ内に移動させることで、ロック部材３２がロックケース３１内の前記アンロック位置にある状態に保持される。
【００４２】
下扉１７は、左右方向の一方側（図２中での左側）の側面板１１の前縁部にヒンジ部（図示省略）を介して開閉可能に取り付けられる。下扉１７の上部の左右方向他端側（図２中での右端側）に下ロック機構１９が設けられる。下扉１７は、下ロック機構１９により筐体２に対して、収容部１５の開口を閉塞し、かつマスク板部１５ａを覆う状態で、係合または係合を解除するものである（図１参照）。
【００４３】
下ロック機構１９は、図８に示すように、枠状のロックホルダ３８と、ロックホルダ３８内を上下方向に移動可能に嵌合するロック部材３９と、ロック部材３９をロックホルダ３８に対して上方に付勢するコイルばね４０とを有する。
【００４４】
ロックホルダ３８は、相似となる大小二つの長円がその直線部分がつながる形状となるベース板部３８ａと、ベース板部３８ａの周縁部のうち、下扉１７の厚さ方向一方側を除いた部分から立ち上がる側壁部３８ｂと、コイルばね４０の下部が挿入される凹部３８ｃとを有する。
【００４５】
ロック部材３９は、横断面が長円となる押しボタン部３９ａと、押しボタン部３９ａの下部の平坦部分につながるフック部３９ｂとを有する。押しボタン部３９ａは、コイルばね４０の上端部に差し込まれる支持軸部３９ｃを有する。
【００４６】
フック部３９ｂは、その下部と押しボタン部３９ａの下部が一体に形成され、その上部が押しボタン部３９ａの上面よりも高い位置にある。コイルばね４０は、下端部がロックホルダ３８の凹部３８ｃに嵌り、上端部に押しボタン部３９ａの支持軸部３９ｃが挿通されている。
【００４７】
図９に示すように、下ロック機構１９は、ロック部材３９の押しボタン部３９ａとフック部３９ｂが下扉１７の上面部を上方へ貫通する状態で、下扉１７の上部に固定されている。ロック部材３９は、ロックホルダ３８内を上下方向に移動可能となっており、コイルばね４０により上方へ付勢されている。
【００４８】
下扉１７が収容部１５の開口を閉塞する状態で、ロック部材３９の押しボタン部３９ａが前面板１２よりも前側の位置（前位）にあり、フック部３９ｂが前面板１２よりも後側の位置（後位）にある。ロック部材３９は、押しボタン部３９ａの上部とフック部３９ｂの上部とが下扉１７の上面から突出する状態となっている。
【００４９】
図９（ａ）に示すように、下扉１７が収容部１５の開口を閉塞する状態で下ロック機構１９のフック部３９ｂが、下扉１７の上面から突出する位置（ロック位置）にあるとき、フック部３９ｂが前面板１２の下端部に係合するようになっている。
【００５０】
一方、図９（ｂ）に示すように、押しボタン部３９ａが押し下げられることで、フック部３９ｂが下扉１７の上面に対して没入する位置（アンロック位置）にあるとき、フック部３９ｂは、前面板１２の下端部との係合が解除するようになっている。なお、下ロック機構１９のフック部３９ｂがロック位置にあるときは、上扉１６の開閉を阻害しないようになっている。
【００５１】
筐体２の天板９は、上方に突出する矩形の台座部９ａと、台座部９ａの中央部に設けられる容器ホルダ３とを有する。天板９の台座部９ａは、中央に設けられる容器ホルダ３に向かうに従って、下向きに傾斜するすり鉢状をなし、外周縁部が天板９の外周縁部よりも高位にある。容器ホルダ３は、天板９のうち原水容器２０を保持する部分である。
【００５２】
原水容器２０は、水出口２０ａを下向きにした姿勢で容器ホルダ３に載置される。原水容器２０の容量は、満水状態で１０〜２０リットルの範囲で設定されている。この原水容器２０は、内部の残水量の減少に伴って収縮するように柔軟性をもたせて形成される。
【００５３】
筐体２の天板９には、容器ホルダ３で保持した原水容器２０から筐体２の内部に収容される冷水タンク４に飲料水を導入する原水導入管５が設けられている。原水導入管５の一端は原水容器２０に着脱可能に接続され、原水導入管５の他端は冷水タンク４に固定して接続されている。
【００５４】
原水導入管５の冷水タンク４側の端部には、冷水タンク４内の水位に応じて開閉するフロートバルブ２１が設けられている。筐体２の上部には、原水容器２０を覆うカバー２２が取り付けられている。
【００５５】
冷水タンク４は、内部に収容された飲料水を冷却する冷却装置６が取り付けられている。冷却装置６の作動により、例えば、マイナス１５℃からマイナス３０℃程度に冷却され、冷水タンク４内の飲料水を低温（５℃程度）に保つようになっている。
【００５６】
冷水タンク４の底面には、冷水タンク４内の低温の飲料水を外部に注出する冷水注出管７が接続されている。冷水注出管７には、筐体２の外部から操作可能なコック２６が設けられ、このコック２６を開くことによって冷水タンク４から低温の飲料水を注出室１４内でカップ等に注出できるようになっている。
【００５７】
ここで、コック２６を開いたときに、冷水タンク４内の飲料水がその自重で冷水注出管７を通って筐体２の外部に注出されるように（すなわちポンプを使用せずに飲料水を移動させることができるように）冷水注出管７の水出口７ａは、冷水タンク４の底面よりも下側に配置されている。冷水タンク４の飲料水の容量は、原水容器２０の容量よりも小さく、２〜４リットル程度である。
【００５８】
図２に示すように、カバー２２は、下方が開口する箱形をなしている。カバー２２の開口縁部は、天板９の台座部９ａの外周縁部よりも一回り大きい矩形をなしている。カバー２２は、台座部９ａの周囲に開口縁部が位置するように、天板９上に載置されている。
【００５９】
この実施形態に係るウォーターサーバー１は、以上のように構成されている。ウォーターサーバー１は、注出室１４の開口を閉塞する上扉１６が、筐体２に対して開閉するようにヒンジ部１６ａを介して取り付けられたものである。
【００６０】
図３に示すように、上扉１６が注出室１４の開口を閉塞する状態において、上ロック機構１８のロック部材３２がロックケース３１内のロック位置にあるとき、フック部３２ａが受容凹部３７の開口部の左右方向一端縁と係合する。
【００６１】
この係合状態では、上扉１６により注出室１４の開口が閉塞されている。このとき、注出室１４内のコック２６を操作することができず、幼児が誤ってコック２６を操作することを防止することができる。
【００６２】
ウォーターサーバー１は、上ロック機構１８が上扉１６の上部に固定され、レバー３３が上扉１６の上面から上方に突出している。このように突出するレバー３３は、幼児の手が届きにくい高い位置にあるので、幼児によってレバー３３の誤操作がされにくくなっている。
【００６３】
また、ウォーターサーバー１は、上扉１６が注出室１４の開口を閉塞し、かつ下扉１７が収容部１５の開口を閉塞する状態で、下ロック機構１９の押しボタン部３９ａが、下扉１７に対して、上扉１６により覆われる位置にある。
【００６４】
このため、上ロック機構１８により上扉１６が注出室１４の開口を閉塞する状態で係合していると、下ロック機構１９の押しボタン部３９ａを操作することができない。押しボタン部３９ａの操作ができないため、下扉１７を開くことができない。
【００６５】
なお、筐体２は、その内部に形成され、前方に開口する収容部１５および収容部１５の開口を開閉する下扉１７を有しないものであってもよい。
【符号の説明】
【００６６】
１  ウォーターサーバー
２  筐体
３  容器ホルダ
４  冷水タンク
５  原水導入管
６  冷却装置
７  冷水注出管
７ａ  水出口
７ｂ  冷水注出弁
８  筒部
９  天板
９ａ  台座部
１０  底板
１１  側面板
１２  前面板
１３  後面板
１４  注出室
１５  収容部
１６  上扉
１６ａ  ヒンジ部
１７  下扉
１８  上ロック機構
１９  下ロック機構
２０  原水容器
２１  フロートバルブ
２２  カバー
２６  コック
３１  ロックケース
３２  ロック部材
３２ａ  フック部
３３  レバー
３４、４０  コイルばね
３５  貫通孔部
３６  ガイド孔部
３６ａ  ストッパ凹部
３７  受容凹部
３８  ロックホルダ
３８ａ  ベース板部
３９  ロック部材
３９ａ  押しボタン部
３９ｂ  フック部
３９ｃ  支持軸部
【図１】
2019214387.tif 000003
【図２】
2019214387.tif 000004
【図３】
2019214387.tif 000005
【図４】
2019214387.tif 000006
【図５】
2019214387.tif 000007
【図６】
2019214387.tif 000008
【図７】
2019214387.tif 000009
【図８】
2019214387.tif 000010
【図９】
2019214387.tif 000011
【図１０】
2019214387.tif 000012